(57)【要約】【課題】光接続箱を小型化することができる光接続箱の余長収納トレーを提供する。【解決手段】光アダプタ１１を収納するアダプタトレー１と融着接続部を収納する融着トレー２を段積み可能とする。これにより、光アダプタ１１はトレー内に納まるので、これを使用する光接続箱の縦横方向のサイズを小さくできるものである。各トレー１、２の外周部に光ファイバの余長分を収納する余長保持ガイド部１４を設けることにより、光ファイバの余長部分が収納できるうえ、段積して上部となるトレー１、２の外周に位置する余長分も弛むことなく各トレー１、２の外周に的確に位置することとなる。【選択図】　　図１
2004020707.tif 000002
【特許請求の範囲】
【請求項１】
光アダプタを収納するアダプタトレーと融着接続部を収納する融着トレーを段積み可能としたことを特徴とする光接続箱の余長収納トレー。
【請求項２】
各トレーの外周部に光ファイバの余長分を収納する余長保持ガイド部を設けた請求項１に記載の光接続箱の余長収納トレー。
【発明の詳細な説明】
【０００１】
【発明の属する技術分野】
本発明は、光ファイバの余長分を収納しておくための光接続箱の余長収納トレーに関するものである。
【０００２】
【従来の技術】
従来の光接続箱の余長収納トレーは、トレー１０１内で光ファイバの一次側及び二次側を融着接続して余長分を収納し、光アダプタ１０２によるコネクタ接続はトレー１０１の外部において行うことを普通としているのでトレー１０１の外側に光アダプタ１０２の設置するスペースが必要であり，光接続箱の縦横方向のサイズが大きい。そして、接続心線が増えた場合にはトレーを段積みするものであった。
【０００３】
【発明が解決しようとする課題】
ところが、接続心線が増えた場合には光アダプタを増設する場合の設置スペースは光接続箱の大きさにより限りがあり、また、トレー１０１内に収納できない余長分の光ファイバはトレー１０１の外周にワイヤーサドル１０３を固定して保持していたので、トレー１０１を段積みで使用した場合に上部に位置する光ファイバが弛み各トレーごとの光ファイバの区別が困難である問題があった。また、上下の光ファイバが錯綜して光接続箱内の見栄えもよくないものであった。
【０００４】
【課題を解決するための手段】
前記の課題を解決するためになされた本発明の光接続箱の余長収納トレーは、光アダプタを収納するアダプタトレーと融着接続部を収納する融着トレーを段積み可能としたことを特徴とするものを請求項１に記載の発明とし、この発明において、各トレーの外周部に光ファイバの余長分を収納する余長保持ガイド部を設けたものを請求項２に記載の発明とする。
【０００５】
【発明の実施の形態】
次に、本発明の好ましい実施の形態を示す。
１は光アダプタ１１を収納するアダプタトレー、２は融着接続部を収納する融着トレーであり、該融着接続トレー２と前記アダプタトレー１は段積み可能とされている。前記アダプタトレー１の内周部に設けた光ファイバ余長巻回部１２の内側に設けた取付枠部１３には前記光アダプタ１１が着脱自在に設けられており、該光アダプタ１１は一次側及び二次側の光ファイバをコネクタ接続するものである。なお、このアダプタトレー１はアダプタ１１を設置する為に融着接続トレー２に比べ高さの高いものとなっている。また、アダプタトレー１の外周部には光ファイバの余長分を巻回収納する余長保持ガイド部１４が設けられている。
【０００６】
また、前記融着接続トレー２には一次側及び二次側の光ファイバを融着接続した融着接続部を補強するスリーブ等の補強材３を保持する保持部材２１が融着接続トレー２の内周部に設けた光ファイバ余長巻回部２２の内側に設けている。なお、図示の実施形態ではこの融着接続トレー２の外周部には光ファイバの余長分を巻回収納する余長保持ガイド部１４が設けてないものであるが設けてもよいことは勿論である。この融着接続トレー２と前記アダプタトレー１との段積及び同一トレー同士の段積み手段は各トレー１、２の上部外側に臨ませた軸部４１とこれに対応させてトレー１，２の下部外側に設けた下向きの掛鉤部４２とを係合させて左右上下にずれることなく段積みするものである。そして、これら軸部４１と掛鉤部４２をトレー１、２の左右外側に対向させて夫々上下に設け、左右のどちらか一方の係合を解除し、他方の係合を維持するものとすればこの係合を維持した軸部４１を中心に蝶番として使用できるものであり、配線作業の際に一々段積みした各トレーを分離する必要がないものである。
【０００７】
このように構成されたものは、光アダプタ１１がアダプタトレー１に収納されているので、光アダプタ１１を光接続箱のトレーの外側に取付枠を取り付けたうえ設置する必要がないので、光接続箱の縦横方向のサイズを小さくできるものである。また、前記したように融着トレー２とアダプタトレー１は段積み可能とされているので、融着接続した光ファイバは融着トレー２に光アダプタ１１によりコネクタ接続した光ファイバはアダプタトレー１に夫々余長分と共に収納されているので、どのトレー内に配線されているかの識別が容易なものである。
【０００８】
また、接続心数が増えた場合には、各トレー１、２を夫々の必要数を追加して段積みすればよいものである。この場合に本発明は光アダプタ１１を収納する専用のアダプタトレー１と融着接続部を収納する専用の融着トレー２を段積みするものであるから、高さの高いアダプタトレー１と高さの低い融着トレー２の組み合せとなるので全体の高さを低くすることができるものである。従って、高さを光アダプタ１１に合わせたものとした光アダプタと融着接続部を混在させたトレーを段積みするのに比べ高さを低くでき有利なものである。
【０００９】
また、光ファイバの数が多かった場合や余長分を長くとる場合にトレー１，２の内周部に設けた光ファイバ余長巻回部２２では余長部分が収納できないときには、トレー１，２の外周に巻回させておくものであるが、本発明ではトレー１、２の外周部に光ファイバの余長分を巻回収納する余長保持ガイド部１４が設けられているので、これに余長分を収納すればよいのものである。これにより、段積して上部となるトレー１、２の外周に位置する光ファイバの余長分は弛むことなく各トレー１、２の外周位置することとなるのでトレー１、２ごとの光ファイバの区別・配線が容易となる。
【００１０】
さらに、このように余長保持ガイド部１４を設けることにより、一次側光ファイバと二次側光ファイバとをトレー１、２の内周部に設けた光ファイバ余長巻回部１２、２２と余長保持ガイド部１４とに分けて収納することにより一次側、二次側光ファイバが同じ種類のものであっても収納箇所の違いにより識別できるものである。
【００１１】
なお、余長保持ガイド部１４はトレー１，２の外周に全面に亘り設けたものであってもよいが、光ファイバは緊張力があるから巻回部を所要の間隔すなわちトレー１，２の外周コーナー付近の４箇所で保持すればよいので、余長保持ガイド部１４はトレー１、２の外周コーナー付近の４箇所に設けた上向き鉤片１４ａに構成すればよいものであり、このように構成することにより体裁がよいうえ材料の節約となり安価なものとなる。
【００１２】
【発明の効果】
以上に説明したように、本発明の光接続箱の余長収納トレーは、光アダプタを収納するアダプタトレーと融着接続部を収納する融着トレーを段積み可能としたものであるから、これを使用する光接続箱の縦横方向のサイズを小さくできるものであり、また、融着接続した光ファイバは融着トレーに光アダプタによりコネクタ接続した光ファイバはアダプタトレーに夫々余長分と共に収納されているので、どのトレーに配線されているかの識別が容易なものである。
【００１３】
また、各トレーの外周部に光ファイバの余長分を収納する余長保持ガイド部を設けることにより、光ファイバの余長部分が収納できるうえ、段積して上部となるトレー外周に位置する余長分も弛むことなく各トレーの外周に的確に位置することとなる。
よって、本発明は従来の光接続箱の余長収納トレーの問題点を解決したもので、業界にもたらす益大なものである。
【図面の簡単な説明】
【図１】本発明の実施形態に使用するアダプタトレーと融着トレーを示す斜視図である。
【図２】本発明の実施形態に使用するアダプタトレーと融着トレーを段積みして示す斜視図である。
【図３】本発明の実施形態に使用するアダプタトレー同士を段積みして示す斜視図である。
【図４】従来例を示す正面図である。
【符号の説明】
１　アダプタトレー
２　融着トレー
１４　余長保持ガイド部
【図１】
2004020707.tif 000003
【図２】
2004020707.tif 000004
【図３】
2004020707.tif 000005
【図４】
2004020707.tif 000006